(57)【要約】    【課題】  駆動軸及び従動軸の間に介挿される軸受部材へ潤滑油を適切に供給しつつ、駆動側及び従動側摩擦板の係合解除時におけるクラッチドラッグ現象を有効に低減させ得る油圧ＰＴＯクラッチ構造を提供する。    【解決手段】  駆動軸及び従動軸は、一方が他方に形成された凹部内に突入された状態で軸受部材を介して軸線回り相対回転自在とされる。前記両軸の少なくとも一方には、一端部が油圧源に流体接続され且つ他端部が前記凹部内において開口された第１油路と、一端部が該第１油路に連通され且つ他端部が前記両摩擦板への連通路に開口する第２油路とが設けられる。第２油路の他端部は、ピストンが前記両摩擦板を解除させる解除位置に位置する際には該ピストンによって閉塞される。第１油路には、油圧源から供給される油の前記他端部からの吐出量を制限するオリフィスが設けられている。【選択図】    図４
2005090664.tif 000002
【特許請求の範囲】
【請求項１】
駆動源に作動的に連結されたＰＴＯ駆動軸と、該ＰＴＯ駆動軸と同軸上に配置されたＰＴＯ従動軸と、前記ＰＴＯ駆動軸からＰＴＯ従動軸への動力伝達及び動力遮断を選択的に行う油圧クラッチ機構とを備えた油圧ＰＴＯクラッチ構造であって、
前記油圧クラッチ機構は、前記ＰＴＯ駆動軸に相対回転不能に支持された駆動側シリンダと、該駆動側シリンダに相対回転不能且つ軸線方向摺動自在に支持された駆動側摩擦板と、前記ＰＴＯ従動軸に相対回転不能に支持された従動側シリンダと、前記駆動側摩擦板と対向するように該従動側シリンダに相対回転不能且つ軸線方向摺動自在に支持された従動側摩擦板と、圧油の作用によって前記駆動側摩擦板及び前記従動側摩擦板の係合／解除を切り替えるピストンと、前記ピストンに対して作動油を供給する作動油供給油路と、潤滑油を供給する潤滑油供給油路とを備え、
前記ＰＴＯ駆動軸及び前記ＰＴＯ従動軸は、互いの対向端部の一方が他方に形成された凹部内に突入された状態で、該凹部内に配設される軸受部材を介して互いに軸線回り相対回転自在とされており、
前記潤滑油供給油路は、前記ＰＴＯ駆動軸又は前記ＰＴＯ従動軸の少なくとも一方に穿孔された第１油路であって、一端部が油圧源に流体接続され且つ他端部が前記凹部内において開口された第１油路と、一端部が該第１油路に連通され且つ他端部が前記両摩擦板への連通路に開口する第２油路とを有し、
前記第２油路の他端部は、前記ピストンが前記両摩擦板を係合させる係合位置に位置する際には該ピストンに設けられた連通孔を介して前記連通路に開口し、且つ、前記ピストンが前記両摩擦板を解除させる解除位置に位置する際には該ピストンによって閉塞されるように構成され、
前記第１油路には、前記油圧源から供給される油の前記他端部からの吐出量を制限するオリフィスが設けられていることを特徴とする油圧ＰＴＯクラッチ構造。
【請求項２】
前記油圧クラッチ機構の係合／遮断に連動して、前記ＰＴＯ従動軸に制動力を解除／付加する油圧ブレーキ機構を、さらに備えていることを特徴とする請求項１に記載の油圧ＰＴＯクラッチ構造。
【請求項３】
前記駆動側シリンダは、前記ＰＴＯ駆動軸に相対回転不能に外挿される基端部と、該基端部から前記従動軸の一部を囲繞するように軸線方向に延びる支持部であって、前記駆動側摩擦板を支持する支持部とを有し、
前記従動側シリンダは、前記ＰＴＯ従動軸に相対回転不能に外挿される基端部と、該基端部から前記駆動側シリンダの一部を囲繞するように軸線方向に延びる支持部であって、前記従動側摩擦板を支持する支持部とを有しており、
前記駆動側シリンダの支持部と前記従動軸との間隙が前記連通路を形成していることを特徴とする請求項１又は２に記載の油圧ＰＴＯクラッチ構造。
【請求項４】
前記ピストンを前記駆動側摩擦板及び従動側摩擦板から離間させる方向へ押圧する付勢部材をさらに備え、
前記作動油供給油路を介して供給される圧油によって前記ピストンが前記付勢部材の付勢力に抗して前記駆動側摩擦板及び従動側摩擦板を摩擦接触させることにより、両摩擦板が係合されることを特徴とする請求項１から３の何れかに記載の油圧ＰＴＯクラッチ構造。
【請求項５】
前記駆動側摩擦板及び従動側摩擦板の少なくとも一方には、摩擦係合面に、径方向内端部が開口され且つ径方向外端部が閉塞されたデッドエンド溝が設けられていることを特徴とする請求項１から４の何れかに記載の油圧ＰＴＯクラッチ構造。
【発明の詳細な説明】
【技術分野】
【０００１】
本発明は、駆動源とＰＴＯ軸との間に配設される油圧ＰＴＯクラッチ構造に関する。
【背景技術】
【０００２】
作業車輌には、駆動輪を駆動する為の走行系伝動経路とは別に、外部作業機に対して駆動力を取り出す為のＰＴＯ伝動経路が備えられる。
該ＰＴＯ伝動経路には、駆動源からＰＴＯ軸への動力伝達及び遮断を選択的に切り替える油圧ＰＴＯクラッチ構造が備えられる。
【０００３】
前記油圧ＰＴＯクラッチ構造は、駆動源に作動的に連結されたＰＴＯ駆動軸と、該ＰＴＯ駆動軸と同軸上に配置されたＰＴＯ従動軸と、前記ＰＴＯ駆動軸からＰＴＯ従動軸への動力伝達及び動力遮断を選択的に行う油圧クラッチ機構とを備えている。
そして、前記油圧クラッチ機構は、前記ＰＴＯ駆動軸に相対回転不能に支持された駆動側シリンダと、該駆動側シリンダに相対回転不能且つ軸線方向摺動自在に支持された駆動側摩擦板と、前記ＰＴＯ従動軸に相対回転不能に支持された従動側シリンダと、前記駆動側摩擦板と対向するように該従動側シリンダに相対回転不能且つ軸線方向摺動自在に支持された従動側摩擦板と、圧油の作用によって前記駆動側摩擦板及び前記従動側摩擦板の係合／解除を切り替えるピストンと、前記ピストンに対して作動油を供給するように前記ＰＴＯ駆動軸及びＰＴＯ従動軸の一方に穿孔された作動油供給油路と、前記両摩擦板に潤滑油を供給するように前記ＰＴＯ駆動軸及びＰＴＯ従動軸の一方に穿孔された潤滑油供給油路とを備えている。
【０００４】
詳しくは、従来の油圧ＰＴＯクラッチ構造においては、前記ＰＴＯ駆動軸及びＰＴＯ従動軸の一方の対向端部に凹部を形成し、且つ、前記ＰＴＯ駆動軸及びＰＴＯ従動軸の他方の対向端部を前記凹部内に突入させて、該他方の対向端部をニードルバルブ等の軸受部材を介して一方の対向端部に対して相対回転自在とさせている（特許文献１参照）。
【０００５】
斯かる構成において、前記軸受部材及び前記両摩擦板へ潤滑油を供給する為に、前記潤滑油供給油路は、一端部が油圧源に流体接続され且つ他端部が前記凹部内において開口された第１油路と、一端部が該第１油路に連通され且つ他端部が前記両摩擦板への連通路に開口する第２油路とを備えている。
【０００６】
ところで、前記従来の油圧ＰＴＯクラッチ構造においては、前記第１油路を介して供給される油によって、該油圧ＰＴＯクラッチ構造の動力遮断時に前記駆動側摩擦板に回転抵抗が生じ、これにより、ＰＴＯ伝動経路に負荷が掛かるという問題があった。
【０００７】
即ち、前記第２油路は、前記作動油供給油路を介して供給される油によって作動されるピストンの位置に応じて、前記他端部が開放及び遮断される。つまり、前記第２油路の他端部は、前記ピストンが前記両摩擦板を係合させる係合位置に位置する際には該ピストンに形成された連通孔を介して開放され、且つ、前記ピストンが前記両摩擦板を解除させる解除位置に位置する際には該ピストンによって閉塞されるようになっている。
従って、前記第２油路は、前記両摩擦板が係合される際には油を供給し、且つ、前記両摩擦板が解除される際には油の供給を遮断するようになっている。
【０００８】
ところが、前記第１油路の他端部は、前記両摩擦板の係合／解放に拘わらず、常に開放されている。
従って、前記両摩擦板が解放状態とされている場合であっても、前記第１油路を介して供給された油が該両摩擦板へ導入されるようになっている。
【０００９】
このような、解放されている状態の両摩擦板への油の供給はクラッチドラッグ現象の要因となり、前記ＰＴＯ駆動軸の回転抵抗を増加させ、結果的に、ＰＴＯ伝動経路の負荷抵抗が増加する。
【特許文献１】特開２００３−１３６９８５号公報
【発明の開示】
【発明が解決しようとする課題】
【００１０】
本発明は、前記従来技術に鑑みなされたものであり、ＰＴＯ駆動軸及びＰＴＯ従動軸の間に介挿される軸受部材へ潤滑油を適切に供給しつつ、駆動側摩擦板及び従動側摩擦板の係合解除時におけるクラッチドラッグ現象を有効に低減させ得る油圧ＰＴＯクラッチ構造の提供を、一の目的とする。
【課題を解決するための手段】
【００１１】
本発明は、前記目的を達成するために、駆動源に作動的に連結されたＰＴＯ駆動軸と、該ＰＴＯ駆動軸と同軸上に配置されたＰＴＯ従動軸と、前記ＰＴＯ駆動軸からＰＴＯ従動軸への動力伝達及び動力遮断を選択的に行う油圧クラッチ機構とを備えた油圧ＰＴＯクラッチ構造であって、前記油圧クラッチ機構は、前記ＰＴＯ駆動軸に相対回転不能に支持された駆動側シリンダと、該駆動側シリンダに相対回転不能且つ軸線方向摺動自在に支持された駆動側摩擦板と、前記ＰＴＯ従動軸に相対回転不能に支持された従動側シリンダと、前記駆動側摩擦板と対向するように該従動側シリンダに相対回転不能且つ軸線方向摺動自在に支持された従動側摩擦板と、圧油の作用によって前記駆動側摩擦板及び前記従動側摩擦板の係合／解除を切り替えるピストンと、前記ピストンに対して作動油を供給する作動油供給油路と、潤滑油を供給する潤滑油供給油路とを備えた油圧ＰＴＯクラッチ構造を提供する。
前記ＰＴＯ駆動軸及び前記ＰＴＯ従動軸は、互いの対向端部の一方が他方に形成された凹部内に突入された状態で、該凹部内に配設される軸受部材を介して互いに軸線回り相対回転自在とされる。
前記潤滑油供給油路は、前記ＰＴＯ駆動軸又は前記ＰＴＯ従動軸の少なくとも一方に穿孔された第１油路であって、一端部が油圧源に流体接続され且つ他端部が前記凹部内において開口された第１油路と、一端部が該第１油路に連通され且つ他端部が前記両摩擦板への連通路に開口する第２油路とを有しており、前記第２油路の他端部は、前記ピストンが前記両摩擦板を係合させる係合位置に位置する際には該ピストンに設けられた連通孔を介して前記連通路に開口し、且つ、前記ピストンが前記両摩擦板を解除させる解除位置に位置する際には該ピストンによって閉塞されるように構成される。
そして、前記第１油路には、前記油圧源から供給される油の前記他端部からの吐出量を制限するオリフィスが設けられている。
【００１２】
好ましくは、前記油圧クラッチ機構の係合／遮断に連動して、前記ＰＴＯ従動軸に制動力を解除／付加する油圧ブレーキ機構を、さらに備えることができる。
【００１３】
一態様においては、前記駆動側シリンダは、前記ＰＴＯ駆動軸に相対回転不能に外挿される基端部と、該基端部から前記従動軸の一部を囲繞するように軸線方向に延びる支持部であって、前記駆動側摩擦板を支持する支持部とを有し、前記従動側シリンダは、前記ＰＴＯ従動軸に相対回転不能に外挿される基端部と、該基端部から前記駆動側シリンダの一部を囲繞するように軸線方向に延びる支持部であって、前記従動側摩擦板を支持する支持部とを有しており、前記駆動側シリンダの支持部と前記従動軸との間隙が前記連通路を形成するものとされる。
【００１４】
前記種々の態様において、前記ピストンを前記駆動側摩擦板及び従動側摩擦板から離間させる方向へ押圧する付勢部材をさらに備えることができる。斯かる態様においては、前記作動油供給油路を介して供給される圧油によって前記ピストンが前記付勢部材の付勢力に抗して前記駆動側摩擦板及び従動側摩擦板を摩擦接触させることにより、両摩擦板が係合される。
【００１５】
好ましくは、前記駆動側摩擦板及び従動側摩擦板の少なくとも一方には、摩擦係合面に、径方向内端部が開口され且つ径方向外端部が閉塞されたデッドエンド溝が設けられる。
【発明の効果】
【００１６】
本発明によれば、ＰＴＯ駆動軸及びＰＴＯ従動軸の間に介挿される軸受部材へ潤滑油を適切に供給しつつ、駆動側摩擦板及び従動側摩擦板の係合解除時におけるクラッチドラッグ現象を有効に低減させることができる。
従って、前記両摩擦板の係合解除時におけるＰＴＯ駆動軸等の駆動側部材への回転抵抗を抑えることができる。
【００１７】
又、前記駆動側摩擦板及び従動側摩擦板の少なくとも一方の摩擦係合面に、径方向内端部が開口され且つ径方向外端部が閉塞されたデッドエンド溝を設ければ、クラッチドラッグ現象をより有効に低減させることができる。
【発明を実施するための最良の形態】
【００１８】
以下に、本発明に係る油圧ＰＴＯクラッチ構造の好ましい実施の形態について、添付図面を参照しつつ説明する。
図１は、本実施の形態に係る油圧ＰＴＯクラッチ構造１が適用されたトランスミッション１００の伝動模式図である。又、図２は、前記トランスミッション１００の油圧回路図である。
【００１９】
図１に示すように、前記トランスミッション１００は、駆動源（図示せず）からの駆動力を駆動車軸１１０へ伝達する走行系伝動経路２００と、前記駆動源からの駆動力を外部に出力するＰＴＯ系伝動経路３００と、これらを収容するハウジング４００とを備えている。
本実施の形態に係る油圧ＰＴＯクラッチ構造１は、前記ＰＴＯ系伝動経路３００に介挿されている。
【００２０】
図３は、前記油圧ＰＴＯクラッチ構造の縦断側面図であって、図１におけるIII部拡大断面図である。
図１及び図３に示すように、前記油圧ＰＴＯクラッチ構造１は、駆動側に位置するＰＴＯ駆動軸１０と、従動側に位置するＰＴＯ従動軸２０と、前記ＰＴＯ駆動軸１０からＰＴＯ従動軸２０への動力伝達及び動力遮断を選択的に行う油圧クラッチ機構３０とを備えている。
【００２１】
前記ＰＴＯ駆動軸１０は、駆動源に作動的に連結されており、該駆動源によって常時軸線回りに回転している。
前記ＰＴＯ従動軸２０は、前記油圧クラッチ機構３０を介して、選択的に前記ＰＴＯ駆動軸１０から動力が伝達可能とされている。
本実施の形態においては、該ＰＴＯ従動軸２０は、前記ＰＴＯ駆動軸１０と同軸上に配設されている。
【００２２】
詳しくは、前記ＰＴＯ駆動軸１０及びＰＴＯ従動軸２０は、一方の対向端部が他方の対向端部内に突入された状態で、軸受部材を介して互いに相対回転自在とされる。
本実施の形態においては、図３に示すように、前記ＰＴＯ駆動軸１０の対向端部に軸線方向に沿った凹部１１を設け、前記ＰＴＯ従動軸２０の対向端部２１を該ＰＴＯ駆動軸１０の凹部１１内に突入させている。
そして、前記凹部１１内には前記軸受部材として機能するニードルバルブ１５が配設されており、該ニードルバルブ１５を介して前記ＰＴＯ従動軸２０の対向端部２１が前記ＰＴＯ駆動軸１０に対して軸線回り相対回転自在に支持されている。
【００２３】
前記油圧クラッチ機構３０は、前記ＰＴＯ駆動軸１０に相対回転不能に支持された駆動側シリンダ３１と、該駆動側シリンダ３１に相対回転不能且つ軸線方向摺動自在に支持された駆動側摩擦板３２と、前記ＰＴＯ従動軸２０に相対回転不能に支持された従動側シリンダ３３と、前記駆動側摩擦板３２と対向するように該従動側シリンダ３３に相対回転不能且つ軸線方向摺動自在に支持された従動側摩擦板３４と、作動油圧の作用を受けて、前記駆動側摩擦板３２及び従動側摩擦板３３の係合／解除を切り替えるピストン３５と、前記ピストン３５に対して作動油を供給する作動油供給油路３６と、潤滑油を供給する潤滑油供給油路３７とを備えている。
【００２４】
図４に、図３におけるIV部拡大図を示す。
図４に示すように、前記駆動側シリンダ３１は、前記ＰＴＯ駆動軸１０に相対回転不能に外挿される基端部３１ａと、該基端部３１ａから前記ＰＴＯ従動軸２０の一部を囲繞するように軸線方向に延びる支持部３１ｂとを有している。
前記支持部３１ｂは、前記駆動側摩擦板３２を相対回転不能且つ軸線方向摺動自在に支持するように構成されている。
【００２５】
同様に、前記従動側シリンダ３３は、前記ＰＴＯ従動軸２０に相対回転不能に外挿される基端部３３ａと、該基端部３３ａから前記駆動側シリンダ３１の一部を囲繞するように軸線方向に延びる支持部３３ｂとを有している。
そして、前記支持部３３ｂが、前記従動側摩擦板３４を相対回転不能且つ軸線方向摺動自在に支持するように構成されている。
【００２６】
前記ピストン３５は、前記作動油供給油路３６を介した作動油の供給／遮断に応じて、前記駆動側摩擦板３２及び従動側摩擦板３４を係合させる係合位置と、両摩擦板３２，３４の係合を解除させる解除位置とをとり得るようになっている（図４においては、前記ピストン３５は解除位置に位置している）。
【００２７】
図３及び図４に示すように、本実施の形態においては、前記油圧クラッチ機構３０は、さらに、前記ピストン３５を前記摩擦板３２，３４から離間させる方向へ付勢する付勢部材３８を有している。
そして、前記ピストン３５は、前記作動油供給油路３６を介して作動油が供給されると、前記付勢部材３８の付勢力に抗して、前記両摩擦板３２，３４を摩擦係合させる係合位置に位置するようになっている。
なお、本実施の形態に係る油圧ＰＴＯクラッチ構造１は、前述の通り、油圧作動型とされているが、当然ながら、スプリング作動型とすることも可能である。
【００２８】
前記作動油供給油路３６は、一端部が油圧源２００（図２参照）に流体的に接続され且つ他端部が前記ピストン３５に対して開口されている（図４参照）。
本実施の形態においては、前記ＰＴＯ従動軸２０に穿孔された軸線孔が前記作動用供給油路３６の一部を形成している。
なお、該作動油供給油路３６による作動油の供給／遮断の切替は、電磁弁等の切換弁２１０（図２参照）によって行われる。
【００２９】
前記潤滑油供給油路３７は、前記ＰＴＯ駆動軸及びＰＴＯ従動軸を互いに相対回転自在に連結する前記軸受部材１５と、前記駆動側摩擦板３２及び従動側摩擦板３４とに潤滑油を供給し得るように構成されている。
詳しくは、前記潤滑油供給油路３７は、前記ＰＴＯ駆動軸１０又は前記ＰＴＯ従動軸２０の少なくとも一方に穿孔された第１油路３７ａと、一端部が該第１油路３７ａに連通され且つ他端部が前記両摩擦板３２，３４への連通路に開口する第２油路３７ｂとを有している。
【００３０】
図３及び図４に示すように、本実施の形態において、前記第１油路３７ａは前記ＰＴＯ従動軸２０に穿孔されている。
該第１油路３７ａは、一端部が油圧源２００（図２参照）に流体接続され且つ他端部が前記凹部１１内において開口されており、前記軸受部材１５に対して潤滑油を供給し得るように構成されている。
【００３１】
同様に、本実施の形態においては、前記第２油路３７ｂは前記ＰＴＯ従動軸２０に穿孔されている。
該第２油路３７ｂは、前記両摩擦板３２，３４が係合する際には該両摩擦板３２，３４に潤滑油を供給し、且つ、該両摩擦板３２，３４の係合が解除される際には該両摩擦板３２，３４への潤滑油供給を遮断するように構成されている。
【００３２】
具体的には、前記第２油路３７ｂの他端部は、前記ピストン３５が前記両摩擦板３２，３４を係合させる係合位置に位置する際には該ピストン３５に設けられた連通孔３５ａを介して前記連通路に開口し、且つ、前記ピストン３５が前記両摩擦板を解除させる解除位置に位置する際には該ピストン３５によって閉塞されるように構成されている（図４参照）。
即ち、本実施の形態においては、前記ピストン３５が、前記第２油路３７ｂから両摩擦板３２，３４への潤滑油供給を切り替える切換弁として作用している（図２参照）。
【００３３】
このように、前記駆動側摩擦板３２及び従動側摩擦板３４の係合が解除されている際（即ち、前記油圧クラッチ機構３０が動力遮断状態とされている際）に、該両摩擦板３２，３４への潤滑油供給を停止することにより、クラッチドラッグ現象を低減させ、前記駆動側摩擦板３２の回転抵抗を有効に抑えることができる。
【００３４】
さらに、本実施の形態に係る油圧ＰＴＯクラッチ構造１においては、斯かる構成に加えて、前記油圧源２００から供給される油の前記第１油路３７ａの他端部からの吐出量を制限するオリフィス４０が設けられており、これにより、前記両摩擦板３２，３４間のクラッチドラッグ現象をより有効に低減させ得るようになっている。
【００３５】
即ち、油圧ＰＴＯクラッチ構造には、前記油圧クラッチ機構３０に連動して、ＰＴＯ従動軸２０に制動力を作動的に付加する油圧ブレーキ機構５０が備えられる場合が多い。
斯かる油圧ブレーキ機構５０は、前記油圧クラッチ機構３０が解除状態の際に前記ＰＴＯ従動軸２０に対して直接又は間接的に制動力を付加し、且つ、前記油圧クラッチ機構３０が係合状態の際には前記制動力を解除するように構成されている（図２参照）。
【００３６】
このような油圧ブレーキ機構５０が備えられる場合、前記油圧クラッチ機構３０が解除状態とされると、従動側の部材（ＰＴＯ従動軸２０，従動側シリンダ３３及び従動側摩擦板３４）には前記油圧ブレーキ機構５０によってラジアル荷重が働く。従って、前記ＰＴＯ従動軸２０に対して前記ＰＴＯ駆動軸１０を相対回転自在に支持する前記軸受部材１５には、ある程度の潤滑油が必要となる。
【００３７】
従って、前記第１油路３７ａを介して前記軸受部材１５に潤滑油を供給することは有効であるが、その一方で、該潤滑油の油量が多すぎると、油圧クラッチ機構３０の解除時に、駆動側摩擦板３２及び従動側摩擦板３４の間でクラッチドラッグ現象が生じる恐れがある。
【００３８】
詳しく説明すると、前記潤滑油供給油路３７には、前記軸受部材１５及び前記両摩擦板３２，３４を潤滑するに十分な量の油が流されている。
ところが、前記両摩擦板３２，３４が係合解除状態とされる際には、前述の通り、前記第２油路３７ｂの他端部は閉塞される。従って、該両摩擦板３２，３４が係合解除状態とされている際には、前記第１油路３７ａの他端部からは、前記軸受部材１５の潤滑に必要な量を越えた油が流出する。
斯かる油は、前記軸受部材１５を潤滑した後、前記駆動側シリンダ３１及び前記従動軸２０の間の間隙（両摩擦板３２，３４への油の連通路）を通って、前記両摩擦板３２，３４の方へ流れ込むことになり、これにより、クラッチドラッグ現象が生じ、前記駆動側摩擦板３２に対して回転抵抗を生じさせる。
【００３９】
斯かる点を考慮して、本実施の形態においては、前記第１油路３７ａ中に前記オリフィス４０を設けており、これにより、該第１油路３７ａの他端部から流出する油量を前記軸受部材１５の潤滑に必要十分な油量に制限して、クラッチ解除時におけるクラッチドラッグ現象の発生をより有効に抑止している。
【００４０】
好ましくは、前記オリフィス４０として、前記ＰＴＯ従動軸２０の対向端部２１から嵌入されるオリフィスプラグを用いることができ、これにより、前記第１油路３７ａの穿孔を容易に行うことができる。
【００４１】
より好ましくは、前記駆動側摩擦板３２及び従動側摩擦板３４の少なくとも一方に、径方向外端部が閉塞されたデッドエンド溝６０を設けることができ、これにより、両摩擦板３２，３４の係合解除時におけるクラッチドラッグ現象をより有効に防止できる。
図５(a)に、前記駆動側摩擦板３２及び従動側摩擦板３４の部分断面側面図を示す。又、図５(b)に、前記駆動側摩擦板３２の部分正面図を示す。
【００４２】
図５に示すように、本実施の形態においては、前記デッドエンド溝６０は駆動側摩擦板３２に形成されている。
詳しくは、前記駆動側摩擦板３２の摩擦面（従動側摩擦板３４との係合面）には、径方向内端部が開口し且つ径方向外端部が閉塞された前記デッドエンド溝６０が形成されている。
斯かるデッドエンド溝６０を備えることにより、駆動側摩擦板３２及び従動側摩擦板３４へ供給された潤滑油が、従動側摩擦板３４を駆動側摩擦板３２から離間させる方向へ押動させることになる（図５(a)の矢印参照）。
従って、両摩擦板３２，３４の係合解除時に、クラッチドラッグ現象の発生を有効に防止できる。
【００４３】
なお、図５(b)中の符号６１は、径方向内端部及び径方向外端部の双方が開口された溝であり、潤滑油を両摩擦板３２，３４の係合面全域に行き渡らせる為に備えられる。
又、本実施の形態においては、前記デッドエンド溝６０を駆動側摩擦板３２の係合面に形成したが、これに代えて／又はこれに加えて、前記デッドエンド溝６０を従動側摩擦板３４の係合面に形成することも可能である。
【００４４】
さらに、本実施の形態においては、機体外方へ向けて駆動力を出力するＰＴＯ軸７０を、前記ＰＴＯ従動軸２０に作動的に連結された中空出力軸６５に対して選択的に一端部７１及び他端部７２を逆にして挿入可能とし、且つ、該一端部７１及び他端部７２に異なる歯数のスプラインを有するものとしている（図３参照）。
【００４５】
即ち、前記ＰＴＯ軸７０によって駆動される作業機は、種類に応じて、低速で回転駆動されるものと、高速で回転駆動されるものとが存在する。
このような種々の作業機に対して適切に駆動力を出力する為に、前記ＰＴＯ軸７０は、一端部７１及び他端部７２を選択的に機体外方へ延在させ得るように構成されると共に、一端部７１に低速作業機用の小歯数スプラインを有し且つ他端部７２に高速作業機用の大歯数スプラインを有するものとされている。
【００４６】
ところで、このような両端部７１，７２に異なる歯数のスプラインを有するＰＴＯ軸７０を備える場合、低速作業機に連結する状態（即ち、前記一端部７１を外方へ延在させる状態であり、以下、低速出力モードという）に該ＰＴＯ軸７０を設置しているにも拘わらず、前記中空出力軸６５が高速回転することを防止する為に、前記ＰＴＯ従動軸２０と該中空出力軸６５との間に配設される変速機構８０を低速段に拘束する拘束機構（図示せず）が備えられる場合がある。
【００４７】
即ち、前記変速機構は、例えば、低速段８１，中速段８２及び高速段８３を有し得る（図３参照）。斯かる構成において、前記拘束機構は、前記ＰＴＯ軸が低速出力モードに設置される場合に、前記変速機構を低速段に拘束するように構成される。
【００４８】
詳しくは、前記ＰＴＯ軸７０は、一端部７１又は他端部７２の何れか一方（図示の形態においては、一端部７１）にのみ凹部７３が設けられ、他方（図示の形態においては、他端部７２）は平端面とされる。そして、前記中空出力軸６５の底壁面には、前記凹部７３に係入される凸部（図示せず）が設けられる。
前記拘束機構は、前記ＰＴＯ軸の凹部７３及び平坦面と前記中空出力軸６５の凸部との組み合わせによって、該ＰＴＯ軸７０が低出力モードに設置された際には、前記変速機構８０を低速段に拘束するように構成される。
【００４９】
ところで、前述のように、前記ＰＴＯ軸７０の一端部７１又は他端部７２の一方に凹部７３を設けると、該凹部７３を有する端部を外方へ延在させてＰＴＯ軸７０を設置した場合に、前記凹部７３内に泥等が溜まり、該ＰＴＯ軸７０を逆向きに設置する際に前記凸部の該凹部７３への係入が困難になる場合がある。
【００５０】
この点を考慮して、本実施の形態においては、前記凹部７３を閉塞可能なプラグ部材９０を、機体外方からアクセス可能な位置に着脱自在に設けている。
本実施の形態においては、前記プラグ部材９０を、トランスミッションハウジング４００の外壁面の前記ＰＴＯ軸７０の近傍に、着脱自在に設置している。
【００５１】
このように、前記凹部７３を閉塞可能なプラグ部材９０を、機体外方からアクセス可能な位置に着脱自在に設けておくことにより、前記凹部７３が機体外方を向くように前記ＰＴＯ軸７０が設置される際に、該凹部７３を簡便に閉塞することができ、これにより、該凹部７３内に泥等が付着することを防止して、該ＰＴＯ軸７０を逆向きに設置する際の作業性を向上させることができる。
【図面の簡単な説明】
【００５２】
【図１】図１は、本発明の一実施の形態に係る油圧ＰＴＯクラッチ構造が適用されたトランスミッションの伝動模式図である。
【図２】図２は、図１に示すトランスミッションの油圧回路図である。
【図３】図３は、図１に示す油圧ＰＴＯクラッチ構造の縦断側面図であり、図１におけるIII部拡大断面図である。
【図４】図４は、図３におけるIV部拡大図である。
【図５】図５(a)は、図１〜図４に示す油圧ＰＴＯクラッチ構造における駆動側摩擦板及び従動側摩擦板の部分断面側面図である。  図５(b)は、図５(a)に示す駆動側摩擦板の部分正面図である。
【符号の説明】
【００５３】
１                  油圧ＰＴＯクラッチ構造
１０                ＰＴＯ駆動軸
１１                凹部
１５                軸受部材
２０                ＰＴＯ従動軸
３０                油圧クラッチ機構
３１                駆動側シリンダ
３１ａ              基端部
３１ｂ              支持部
３２                駆動側摩擦板
３３                従動側シリンダ
３３ａ              基端部
３３ｂ              支持部
３４                従動側摩擦板
３５                ピストン
３５ａ              連通孔
３６                作動油供給油路
３７                潤滑油供給油路
３７ａ              第１油路
３７ｂ              第２油路
３８                付勢部材
４０                オリフィス
６０                デッドエンド溝
【図１】
2005090664.tif 000003
【図２】
2005090664.tif 000004
【図３】
2005090664.tif 000005
【図４】
2005090664.tif 000006
【図５】
2005090664.tif 000007